(57)【要約】【課題】意外性のある写真鑑賞が可能な写真鑑賞システムを提供すること。【解決手段】ディジタルカメラに振動センサを設け、前記ディジタルカメラを振ることで、ディスプレイ上の写真の表示態様を変化させるようにしたことを特徴とする。【選択図】        図１
2005005988.tif 000002
【特許請求の範囲】
【請求項１】
ディジタルカメラに振動センサを設け、前記ディジタルカメラを振ることで、ディスプレイ上の写真の表示態様を変化させるようにしたことを特徴とする写真鑑賞システム。
【請求項２】
写真を表示させる際にスピーカから音楽を出力させるようにしたことを特徴とする請求項１に記載の写真鑑賞システム。
【請求項３】
写真をスクロールして表示させる表示態様を有することを特徴とする請求項１又は２に記載の写真鑑賞システム。
【請求項４】
各写真の色合いを変化させ、変化前後の写真を表示させる表示態様を有することを特徴とする請求項１から３いずれか一に記載の写真鑑賞システム。
【請求項５】
前記ディスプレイ上に表示させた一の写真を分割し、その中に他の写真を割り込ませるとともに当該他の写真の表示範囲を次第に拡大させて、一の写真の表示から他の写真の表示へと移行させる表示態様を有することを特徴とする請求項１から４いずれか一に記載の写真鑑賞システム。
【請求項６】
一の写真のぼかしの程度を次第に強めていき、ぼかしの程度が所定の強さとなった時に、一の写真の表示から他の写真の表示へと移行させる表示態様を有することを特徴とする請求項１から５いずれか一に記載の写真鑑賞システム。
【請求項７】
一の写真のモザイクの程度を次第に強めていき、モザイクの程度が所定の強さとなった時に、一の写真の表示から他の写真の表示へと移行させる表示態様を有することを特徴とする請求項１から６いずれか一に記載の写真鑑賞システム。
【請求項８】
前記ディスプレイと前記ディジタルカメラは一体となっていることを特徴とする請求項１から７いずれか一に記載の写真鑑賞システム。
【請求項９】
前記ディスプレイと前記ディジタルカメラは別体となっていることを特徴とする請求項１から７いずれか一に記載の写真鑑賞システム。
【発明の詳細な説明】
【０００１】
【発明の属する技術分野】
本発明は、写真鑑賞システムに関するものである。
【０００２】
【従来の技術】
従来、写真鑑賞システムとして、ディジタルカメラをテレビに接続して表示するものが知られている（特許文献１参照）。
【０００３】
【特許文献１】
特開２００３−１２５３３７号公報
【０００４】
【発明が解決しようとする課題】
この写真鑑賞システムにあっては、撮影した写真の画像データをテレビに転送し、撮影したままの画像データをテレビに転送していた。したがって、興趣性に乏しいという問題がある。
【０００５】
本発明は、意外性のある写真鑑賞が可能な写真鑑賞システムを提供する目的としている。
【０００６】
【課題を解決するための手段】
請求項１に記載の写真鑑賞システムは，ディジタルカメラに振動センサを設け、前記ディジタルカメラを振ることで、ディスプレイ上の写真の表示態様を変化させるようにしたことを特徴とする。この場合の「表示態様」の例としては写真を１枚ずつ全画面に表示したり、複数の写真を同時に１つの画面に表示したり、画像に表示されている写真をスクロールして表示したり、１つの写真を分割して表示したり、１つの写真を拡大縮小したり、あるいはこれらの表示態様を適宜に組み合わせたりする態様が考えられる。また、ディジタルカメラの振動と表示態様の変化との関係であるが、振動回数や振動時間に応じて表示態様を変化させてもよいが、振動回数や振動時間によらずにランダムに表示態様を変化させてもよい。
この写真鑑賞システムによれば、ディジタルカメラを振ることで表示態様が変化するので、同じ写真を何度も鑑賞したりする場合であっても、何時でも新鮮な気持ちでの鑑賞が可能となる。
【０００７】
請求項２に記載の写真鑑賞システムは、請求項１に記載の写真鑑賞システムにおいて、写真を表示させる際にスピーカから音楽を出力させるようにしたことを特徴とする。
この写真鑑賞システムによれば、音楽も出力されるので、視覚のみならず聴覚的にも写真鑑賞を楽しむことができる。
【０００８】
請求項３に記載の写真鑑賞システムは、請求項１又は２に記載の写真鑑賞システムにおいて、写真をスクロールして表示させる表示態様を有することを特徴とする。
この写真鑑賞システムによれば、写真をディスプレイ上で画像をスクロールさせるので、静的画像の鑑賞の場合に比べて、面白みが増すことになる。
【０００９】
請求項４に記載の写真鑑賞システムは、請求項１から３いずれか一に記載の写真鑑賞システムにおいて、各写真の色合いを変化させ、変化前後の写真を表示させる表示態様を有することを特徴とする。
この写真鑑賞システムによれば、表示態様の変化として画像の色合いが変化するので、１つの写真を様々に楽しむことができる。
【００１０】
請求項５に記載の写真鑑賞システムは、請求項１から４いずれか一に記載の写真鑑賞システムにおいて、前記ディスプレイ上に表示させた一の写真を分割し、その中に他の写真を割り込ませるとともに当該他の写真の表示範囲を次第に拡大させて、一の写真の表示から他の写真の表示へと移行させる表示態様を有することを特徴とする。
この写真鑑賞システムによれば、一の画像中に他の画像を割り込ませ、当該一の写真から他の写真へと移行させるので、意外性があり、今までにない写真鑑賞が可能となる。
【００１１】
請求項６に記載の写真鑑賞システムは、請求項１から５いずれか一に記載の写真鑑賞システムにおいて、一の写真のぼかしの程度を次第に強めていき、ぼかしの程度が所定の強さとなった時に、一の写真の表示から他の写真の表示へと移行させる表示態様を有することを特徴とする。
この写真鑑賞システムによれば、一の写真が次第にぼけていき他の写真と置き換わるので、意外性があり、今までにない写真鑑賞が可能となる。
【００１２】
請求項７に記載の写真鑑賞システムは、請求項１から６いずれか一に記載の写真鑑賞システムにおいて、一の写真のモザイクの程度を次第に強めていき、モザイクの程度が所定の強さとなった時に、一の写真の表示から他の写真の表示へと移行させる表示態様を有することを特徴とする。
この写真鑑賞システムによれば、一の写真のモザイクが次第に強くなっていき他の写真と置き換わるので、意外性があり、今までにない写真鑑賞が可能となる。
【００１３】
請求項８に記載の写真鑑賞システムは、請求項１から７いずれか一に記載の写真鑑賞システムにおいて、前記ディスプレイと前記ディジタルカメラは一体となっていることを特徴とする。
この写真鑑賞システムによれば、ディスプレイはディジタルカメラに設けられているので、ディジタルカメラを携帯するだけで何時でも何処でも気軽に写真鑑賞を楽しむことができる。
【００１４】
請求項９に記載の写真鑑賞システムは、請求項１から７いずれか一に記載の写真鑑賞システムにおいて、前記ディスプレイと前記ディジタルカメラは別体となっていることを特徴とする。
この写真鑑賞システムによれば、外部の大型のディスプレイを使用することができ、臨場感ある画像を楽しめることになる。
【００１５】
【発明の実施の形態】
図１（ａ），（ｂ）には実施形態に係る写真鑑賞システムにおけるディジタルカメラが示されている。このディジタルカメラ１の内部には図２に示すシェイクスイッチ３又は図３に示す振り子スイッチ４が設けられている。このうちのシェイクスイッチ３は、図１（ｂ）に示すようにディジタルカメラ１が振られた際に、スプリング（第１の接点）３ａが揺れて中央のロッド（第２の接点）３ｂに触れることによりＯＮする。一方、振り子スイッチ４は、図１（ｂ）に示すようにディジタルカメラ１が振られた際に、振り子（第１の接点）４ａがスプリング４ｃの付勢力に抗して揺れて第２の接点４ｂに触れることによりＯＮする。
そして、この写真鑑賞システムでは、図１（ｃ）に示すようにディジタルカメラ１をテレビ９に接続して写真鑑賞を行うようになっている。
【００１６】
（回路構成）
図４はディジタルカメラ１に組み込まれた回路を示している。同図において符号１０は制御装置であり、この制御装置１０に備えられた記憶装置１１には動作プログラム等が格納されている。
制御装置１０は、シャッタボタン６、モード選択スイッチ７、電源スイッチ８、振動センサ３又は４からの信号が入力可能となっており、入力信号に応じて作動する。そして、この制御装置１０からの信号がテレビ９等に出力され、写真がテレビ画面（ディスプレイ）９ａに表示される。
また、モード選択スイッチ７の切替えによって撮影モード、鑑賞モードの切替えができるようになっている。
【００１７】
（作用）
この写真鑑賞システムによれば、ディジタルカメラ１を鑑賞モードにした時にディジタルカメラ１を振らない場合には通常鑑賞モードとなる。通常鑑賞モードではテレビ９等に接続すると、撮影した写真を順送りで鑑賞することができる。また、鑑賞モードにした時にディジタルカメラ１を振ると写真をＢＧＭにのせて鑑賞することができる。この場合の表示態様は１１種類であり、ディジタルカメラ１を振ることによって表示態様及びＢＧＭが変化する。
【００１８】
（第１の表示態様）
第１の表示態様は、図５（ａ）〜（ｅ）に示すようにテレビ画面９ａ上で写真を左から右にスクロールして表示するものである。この場合、一の写真がディスプレイ上で消失した後に次の写真を左から右にスクロールして表示させてもよいし、一の写真がディスプレイ上で消失する前に次の写真を左から右にスクロールして表示させてもよい。
【００１９】
（第２の表示態様）
第２の表示態様は、図６（ａ）〜（ｅ）に示すようにテレビ画面９ａ上で写真を右から左にスクロールして表示するものである。この場合、一の写真がディスプレイ上で消失した後に次の写真を右から左にスクロールして表示させてもよいし、一の写真がディスプレイ上で消失する前に次の写真を右から左にスクロールして表示させてもよい。
【００２０】
（第３の表示態様）
第３の表示態様は、図７（ａ）〜（ｅ）に示すようにテレビ画面９ａ上で写真を下から上にスクロールして表示するものである。この場合、一の写真がディスプレイ上で消失した後に次の写真を下から上にスクロールして表示させてもよいし、一の写真がディスプレイ上で消失する前に次の写真を下から上にスクロールして表示させてもよい。
【００２１】
（第４の表示態様）
第４の表示態様は、図８（ａ）〜（ｅ）に示すようにテレビ画面９ａ上で写真を上から下にスクロールして表示するものである。この場合、一の写真がディスプレイ上で消失した後に次の写真を上から下にスクロールして表示させてもよいし、一の写真がディスプレイ上で消失する前に次の写真を上から下にスクロールして表示させてもよい。
【００２２】
（第５の表示態様）
第５の表示態様は、図９（ａ）〜（ｅ）に示すようにテレビ画面９ａ上で写真を左下から右上にスクロールして表示するものである。この場合、一の写真がディスプレイ上で消失した後に次の写真を左下から右上にスクロールして表示させてもよいし、一の写真がディスプレイ上で消失する前に次の写真を左下から右上にスクロールして表示させてもよい。
【００２３】
（第６の表示態様）
第６の表示態様は、図１０（ａ）〜（ｅ）に示すようにテレビ画面９ａ上で写真を右上から左下にスクロールして表示するものである。この場合、一の写真がディスプレイ上で消失した後に次の写真を右上から左下にスクロールして表示させてもよいし、一の写真がディスプレイ上で消失する前に次の写真を右上から左下にスクロールして表示させてもよい。
【００２４】
（第７の表示態様）
第７の表示態様は、テレビ画面９ａ上に表示させた一の写真を分割し、その中に他の写真を割り込ませるとともに当該他の写真の表示範囲を次第に拡大させて、一の写真の表示から他の写真の表示へと移行させるものである。具体的には、図１１（ａ）〜（ｊ）に示すようにテレビ画面９ａの上下方向中央部に最初の写真の上下方向中央部を表示させ、その表示部分を上下方向に次第に拡大させる。そして、全画面表示された後に、当該写真を上下に２分割し、分割部分が互いに離反するように上下方向にスクロールし、その分割部分の間に他の写真の上下方向中央部を短冊状に表示させ、その表示部分を上下方向に次第に拡大させる。
【００２５】
（第８の表示態様）
第８の表示態様は、図１２（ａ）〜（ｄ）に示すようにこれから表示される複数の写真をテレビ画面９ａの下側に並べて表示させた状態で、テレビ画面９ａ上で写真を右から左にスクロールして表示するものである。
【００２６】
（第９の表示態様）
第９の表示態様は、図１３（ａ）〜（ｆ）に示すように、一の写真のぼかしの程度を次第に強めていき、ぼかしの程度が所定の強さとなった時に、一の写真の表示から他の写真の表示へと移行させるものである。
【００２７】
（第１０の表示態様）
第１０の表示態様は、図１４（ａ）〜（ｆ）に示すように、一の写真のモザイクの程度を次第に強めていき、モザイクの程度が所定の強さとなった時に、一の写真の表示から他の写真の表示へと移行させるものである。
【００２８】
（第１１の表示態様）
第１１の表示態様は、図１５に示すように、各写真の色合いを変化させ、変化前後の写真を表示させるものである。
【００２９】
（本発明の変形例）
前記実施の形態ではテレビ画面９ａに写真を表示させるようにしたが、パソコンのディスプレイに写真を表示させることもできる。この場合、パソコン側に表示態様選択プログラムを内蔵しておき、ディジタルカメラ１からは振動回数や振動時間に対応する信号をパソコン側に転送するように構成してもよい。
【００３０】
また、文字を写真とともに表示させてもよい。表示は画像と同じようにスクロールして表示させるものであってもよい。なお、文字としては、写真のタイトル名や撮影日等の写真に関連付けられたものであることが好ましいが、それには限定されない。
【００３１】
【発明の効果】
本発明の代表的なものの効果を説明すれば、ディジタルカメラに振動センサを設け、前記ディジタルカメラを振ることで、ディスプレイ上の写真の表示態様を変化させるようにしたので、同じ写真を何度も鑑賞したりする場合であっても、何時でも新鮮な気持ちでの鑑賞が可能となる。
【図面の簡単な説明】
【図１】本発明に係る写真鑑賞システムにおけるディジタルカメラの使用状態図である。
【図２】図１のディジタルカメラに組み込まれる振動センサの一例の構成図である。
【図３】図１のディジタルカメラに組み込まれる振動センサの他例の構成図である。
【図４】図１のディジタルカメラの内部回路図である。
【図５】本発明に係る写真鑑賞システムの第１の表示態様を説明するための図である。
【図６】本発明に係る写真鑑賞システムの第２の表示態様を説明するための図である。
【図７】本発明に係る写真鑑賞システムの第３の表示態様を説明するための図である。
【図８】本発明に係る写真鑑賞システムの第４の表示態様を説明するための図である。
【図９】本発明に係る写真鑑賞システムの第５の表示態様を説明するための図である。
【図１０】本発明に係る写真鑑賞システムの第６の表示態様を説明するための図である。
【図１１】本発明に係る写真鑑賞システムの第７の表示態様を説明するための図である。
【図１２】本発明に係る写真鑑賞システムの第８の表示態様を説明するための図である。
【図１３】本発明に係る写真鑑賞システムの第９の表示態様を説明するための図である。
【図１４】本発明に係る写真鑑賞システムの第１０の表示態様を説明するための図である。
【図１５】本発明に係る写真鑑賞システムの第１１の表示態様を説明するための図である。
【符号の説明】
１      ディジタルカメラ
２      芯体作成用土砂パック
３      シェイクスイッチ
４      振り子スイッチ
９      テレビ
９ａ    テレビ画面
【図１】
2005005988.tif 000003
【図２】
2005005988.tif 000004
【図３】
2005005988.tif 000005
【図４】
2005005988.tif 000006
【図５】
2005005988.tif 000007
【図６】
2005005988.tif 000008
【図７】
2005005988.tif 000009
【図８】
2005005988.tif 000010
【図９】
2005005988.tif 000011
【図１０】
2005005988.tif 000012
【図１１】
2005005988.tif 000013
【図１２】
2005005988.tif 000014
【図１３】
2005005988.tif 000015
【図１４】
2005005988.tif 000016
【図１５】
2005005988.tif 000017